【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
被験者の体液サンプルを収集するための機器であって、前記機器は：
複数のサンプル収集チャネルを含む第一の部分であって、前記チャネルの少なくとも２つは、前記チャネルの少なくとも２つに、同時に、第一の原動力を介してサンプルを引き抜くために構成され；
前記サンプル収集チャネルに収集された体液サンプルを受け取るための複数のサンプル容器を含む第二の部分であって、前記サンプル容器は、前記サンプル収集チャネルと流体連通にない第一の状態、及び前記サンプル容器が前記収集チャネルと流体連結にあるために、操作可能に係合可能な第二の状態を有し、第一の原動力とは異なる第二の原動力が前記チャネルから前記容器内に体液を移動させる機器。
【請求項２】
被験者の体液サンプルを収集するための機器であって、前記機器は：
前記被験者と接触する前記機器の単一の端から、前記機器中に前記体液サンプルを引き抜くために構成された、少なくとも２つのサンプル収集経路を含み、それにより流体サンプルを２個の別個のサンプルに分け；
前記サンプル収集経路により収集された前記体液サンプルを受け取るための複数のサンプル容器を含む第二の部分を含み、前記サンプル容器は、前記サンプル収集経路と流体連通にあるために、操作可能に係合可能であり、前記容器に付随する第二の原動力が、前記２個の別個のサンプルの大部分を前記経路から前記容器内に移動用いられる方法。
【請求項３】
体液サンプルを収集するための機器であって、前記機器は：
第一のタイプの原動力を介して、その中の流体サンプルを引き抜くために構成された、少なくとも２つのサンプル収集経路に通じる、少なくとも１つの流体収集場所を含む第一の部分；
前記サンプル収集経路から収集された体液サンプルを受け取るための複数のサンプル容器を含む第二の部分であって、前記サンプル収集経路との流体連通にあるために、操作可能に係合可能であり、前記第一の原動力とは異なる第二の原動力が、前記２個の個別のサンプルの大部分を前記経路から前記容器へ移動し；
少なくとも１つの前記サンプル収集経路は、いつ最小充填レベルに達したかを表示するための充填指示器を含み、及び少なくとも１つの前記サンプル容器は、少なくとも１つの前記サンプル収集経路と、流体連通にあるために係合し得る機器。
【請求項４】
体液サンプルを収集するための機器であって、前記機器は：
第一のタイプの原動力を介して、その中に流体サンプルを引き抜くために構成された、少なくとも２つのサンプル収集経路を含む第一の部分を含み、
サンプル収集チャネルの１つは、前記流体サンプルと混合するために設計された内部コーティングを有し、及び別の前記サンプル収集チャネルは、前記内部コーティングとは、化学的に異なる別の内部コーティングを有し；
前記サンプル収集チャネルで収集された、体液サンプルを受け入れるための複数のサンプル容器を含む第二の部分を含み、前記サンプル容器は前記サンプル収集経路との流体連通にあるために、操作可能に係合可能であり、前記第一の原動力とは異なる第二の原動力が、前記２個の別個のサンプルの大部分を前記経路から前記容器へ移動させ；
前記容器は、前記容器の間での流体サンプルの混合が生じないように配列される機器。
【請求項５】
サンプル収集機器であって、前記機器は以下を含む方法：
（ａ）第一の開口部及び第二の開口部を含み、及び前記第一の開口部から前記第二の開口部に向けて、毛細管作用により、体液サンプルを引き抜くために構成された収集チャネル；並びに
（ｂ）前記体液サンプルを受け取るためのサンプル容器を含み、前記容器は前記収集チャネルと係合可能可能であり、その中が真空の内部を有し、及びチャネルを受け取るために構成されたキャップを有し；
前記第二の開口部は、前記サンプル容器のキャップを貫通し、及び流体の流路を前記収集チャネル及び前記サンプル容器の間に提供するために構成された前記収集チャネルの一部分により画成され、並びに
前記サンプル容器は、前記収集チャネルの内部容積の１０倍未満の内部容積を有する機器。
【請求項６】
サンプル収集機器であって、前記機器は：
（ａ）第一の開口部及び第二の開口部を含み、及び前記第一の開口部から前記第二の開口部に向けて、毛細管作用により、体液サンプルを引き抜くために構成された収集チャネルを含み；
（ｂ）前記体液サンプルを受け取るためのサンプル容器を含み、前記容器は前記収集チャネルと係合可能可能であり、その中が真空の内部を有し、及びチャネルを受け取るために構成されたキャップを有し；並びに
（ｃ）流体流路を前記収集チャネル及び前記サンプル容器の間に提供するために構成されたアダプター・チャネルを含み、第一の開口部及び第二の開口部を有し、前記第一の開口部は、前記収集チャネルの第二の開口部に接触するために構成され、前記第二の開口部は、前記サンプル容器のキャップを貫通するために構成される機器。
【請求項７】
サンプル収集機器であって、前記機器は：
（ａ）収集チャネルを含む本体を含み、前記収集チャネルは、第一の開口部及び第二の開口部を含み、及び前記第一の開口部から前記第二の開口部に向けて、毛細管作用により、体液サンプルを引き抜くために構成され；
（ｂ）前記体液サンプルを受け取るためのサンプル容器を含む基部を含み、前記サンプル容器は前記収集チャネルと係合可能であり、その中が真空の内部を有し、及びチャネルを受け取るために構成されたキャップを有し；及び
（ｃ）支持物を含み、
前記サンプル収集機器が、伸長状態及び圧縮状態を持つために構成され、前記機器の伸長状態では圧縮状態におけるよりも、少なくとも前記基部の一部分が、前記本体により近くなることができるように、前記本体及び前記基部は、前記支持物の反対側の端に結合され、及び互いに対して移動可能に構成され、
前記収集チャネルの第二の開口部は、前記サンプル容器のキャップを貫通するために構成され、
前記機器の伸長状態では、前記収集チャネルの第二の開口部は、前記サンプル容器の内部と接触せず、並びに
前記機器の圧縮状態では、前記収集チャネルの第二の開口部は、前記容器のキャップを貫通して前記サンプル容器の内部に延伸し、それにより前記収集チャネル及び前記サンプル容器の間に流体的連通を提供する機器。
【請求項８】
サンプル収集機器であって、前記機器は：
（ａ）収集チャネルを含む本体を含み、前記収集チャネルは、第一の開口部及び第二の開口部を含み、及び前記第一の開口部から前記第二の開口部に向けて、毛細管作用により、体液サンプルを引き抜くために構成され；
（ｂ）前記体液サンプルを受け取るためのサンプル容器を含む基部であって、前記サンプル容器は前記収集チャネルと係合可能であり、その中が真空の内部を有し、及びチャネルを受け取るために構成されたキャップを有し；
（ｃ）支持物を含み、並びに
（ｄ）第一の開口部及び第二の開口部を有するアダプター・チャネルを含み、前記第一の開口部は、前記収集チャネルの第二の開口部と接触するために構成され、及び前記第二の開口部前記サンプル容器のキャップを貫通するために構成され、
前記サンプル収集機器が、伸長状態及び圧縮状態を持つために構成され、前記機器の伸長状態では圧縮状態におけるよりも、少なくとも前記基部の一部分が、前記本体により近くなることができるように、前記本体及び前記基部は、前記支持物の反対側の端に結合され、及び互いに対して移動可能に構成され、前記機器の伸長状態では、前記アダプター・チャネルは、前記収集チャネル及び前記サンプル容器の内部の１つ又は両方と接触状態になく、及び前記機器の圧縮状態では、前記アダプター・チャネルの第一の開口部は、前記収集チャネルの第二の開口部と接触状態にあり、及び前記アダプター・チャネルの第二の開口部は、前記容器のキャップを貫通して、前記サンプル容器内部に伸長し、それにより前記収集チャネル及び前記サンプル容器の間に流体的連通を提供する機器
【請求項９】
被験者からのサンプルを収集するための機器であって、前記機器は：
（ａ）収集チャネルを含む本体を含み、前記収集チャネルは、第一の開口部及び第二の開口部を含み、及び前記第一の開口部から前記第二の開口部に向けて、毛細管作用により、体液サンプルを引き抜くために構成され；
（ｂ）前記本体に係合する基部を含み、前記基部はサンプル容器を支持し、前記容器は前記収集チャネルと係合可能であり、その中が真空の内部を有し、及びチャネルを受け取るために構成されたキャップを有し；
前記収集チャネルの第二の開口部は、前記容器のキャップを貫通して、前記サンプル容器内部に伸長し、それにより前記収集チャネル及び前記サンプル容器の間に流体的連通を提供するために構成される機器。
【請求項１０】
被験者からのサンプルを収集するための機器であって、前記機器は：
（ａ）収集チャネルを含む本体を含み、前記収集チャネルは、第一の開口部及び第二の開口部を含み、及び前記第一の開口部から前記第二の開口部に向けて、毛細管作用により、体液サンプルを引き抜くために構成され；
（ｂ）前記本体に係合する基部を含み、前記基部はサンプル容器を支持し、前記容器は前記収集チャネルと係合可能であり、その中が真空の内部を有し、及びチャネルを受け取るために構成されたキャップを有し；
（ｃ）第一の開口部及び第二の開口部を有するアダプター・チャネルを含み、前記第一の開口部は、前記収集チャネルの第二の開口部と接触するために構成され、及び前記第二の開口部は、前記サンプル容器のキャップを貫通するために構成される機器。
【請求項１１】
前記本体が２個の収集チャネルを含む、上記請求項のいずれか１つに記載の機器。
【請求項１２】
前記収集チャネルの内部が抗凝血剤で被覆される、上記請求項のいずれか１つに記載の機器。
【請求項１３】
前記本体が第一の収集チャネル及び第二の収集チャネルを含み、及び前記第一の収集チャネルの内部が、前記第二の収集チャネルの内部とは異なる抗凝血剤で被覆される、請求項１０に記載の機器。
【請求項１４】
前記第一の抗凝血剤がエチレンジアミン四酢酸（ＥＤＴＡ）であり、及び前記第二の抗凝血剤が、ＥＤＴＡとは異なる、請求項１１に記載の機器。
【請求項１５】
前記第一の抗凝血剤がクエン酸塩であり、及び前記第二の抗凝血剤がクエン酸塩とは異なる、請求項１１に記載の機器。
【請求項１６】
前記第一の抗凝血剤がヘパリンであり、及び前記第二の抗凝血剤がヘパリンとは異なる、請求項１１に記載の機器。
【請求項１７】
前記本体が、光学的に透過性の物質で形成される、上記請求項のいずれか１つに記載の機器。
【請求項１８】
前記機器が、収集チャネルと同じ数のサンプル容器を含む、上記請求項のいずれか１つに記載の機器。
【請求項１９】
前記機器が、収集チャネルと同じ数のアダプター・チャネルを含む、請求項４，６、又は８〜１４のいずれか１つに記載の機器。
【請求項２０】
前記基部が、前記サンプルが前記基部中のサンプル容器に到達したかの可視的表示を提供する光学的測定器を含む、上記請求項のいずれか１つに記載の機器。
【請求項２１】
前記基部内の容器を見ることを可能にするために、前記基部が窓である、請求項１６に記載の機器。
【請求項２２】
前記支持物がスプリングを含み、及び前記機器が自然な状態にあるときに、前記伸長状態にあることができるようにスプリングが力を発揮する、請求項５，６、又は９〜１７のいずれか１つに記載の機器。
【請求項２３】
前記収集チャネルの第二の開口部、又は前記アダプター・チャネルが、スリーブにより蓋をされ、前記スリーブは、毛細管作用を介する、前記第一の開口部から、前記第二の開口部に向かう、体液の動きを防止しない、上記請求項のいずれか１つに記載の機器。
【請求項２４】
前記スリーブが、通気口を含む、請求項１９に記載の機器。
【請求項２５】
それぞれの収集チャネル５００μＬ程度の容積を含み得る、上記請求項のいずれか１つに記載の機器。
【請求項２６】
各収集チャネルが２００μＬ程度の容積を保持できる、上記請求項のいずれか１つに記載の機器。
【請求項２７】
各収集チャネルが１００μＬ程度の容積を保持できる、上記請求項のいずれか１つに記載の機器。
【請求項２８】
前記各収集チャネルの断面の内部の外周が１６ｍｍ程度である、上記請求項のいずれか１つに記載の機器。
【請求項２９】
前記各収集チャネルの断面の内部の外周が８ｍｍ程度である、上記請求項のいずれか１つに記載の機器。
【請求項３０】
前記各収集チャネルの断面の内部の外周が４ｍｍ程度である、上記請求項のいずれか１つに記載の機器。
【請求項３１】
前記内部の外周が円周である、上記請求項のいずれか１つに記載の機器。
【請求項３２】
前記機器が第一の及び第二の収集チャネルを含み、及び前記第一のチャネルの開口部が、前記第二のチャネルの開口部に隣接し、及び前記開口部は、単一の血液滴から、血液を同時に引き抜くために構成される、上記請求項のいずれか１つに記載の機器。
【請求項３３】
前記第一のチャネルの開口部及び前記第二のチャネルの開口部の中心から中心への間隔が約５ｍｍ以下である、請求項２８に記載の機器。
【請求項３４】
各サンプル容器が、それが係合可能である、前記収集チャネルの内部容積の２０倍程度の内部容積を有する、上記請求項のいずれか１つに記載の機器。
【請求項３５】
各サンプル容器が、それが係合可能である、前記収集チャネルの内部容積の１０倍程度の内部容積を有する、上記請求項のいずれか１つに記載の機器。
【請求項３６】
各サンプル容器が、それが係合可能である、前記収集チャネルの内部容積の５倍程度の内部容積を有する、上記請求項のいずれか１つに記載の機器。
【請求項３７】
各サンプル容器が、それが係合可能である、前記収集チャネルの内部容積の２倍程度の内部容積を有する、請求項３２に記載の機器。
【請求項３８】
前記収集チャネル及び前記サンプル容器の間の流体的連通の確立が、前記収集チャネル中の少なくとも９０％の前記体液サンプルを前記サンプル容器に移動することをもたらす、上記請求項のいずれか１つに記載の機器。
【請求項３９】
前記収集チャネル及び前記サンプル容器の間の流体的連通の確立が、前記収集チャネル中の少なくとも９５％の前記体液サンプルを前記サンプル容器に移動することをもたらす、請求項３４に記載の機器。
【請求項４０】
前記収集チャネル及び前記サンプル容器の間の流体的連通の確立が、前記収集チャネル中の少なくとも９８％の前記体液サンプルを前記サンプル容器に移動することをもたらす、請求項３５に記載の機器。
【請求項４１】
前記収集チャネル及び前記サンプル容器の間の流体的連通の確立が、前記収集チャネル中の前記体液サンプルの前記サンプル容器中への移動をもたらし、１０μＬ程度の体液サンプルが、前記収集チャネルに残存することをもたらす、上記請求項のいずれか１つに記載の機器。
【請求項４２】
前記収集チャネル及び前記サンプル容器の間の流体的連通の確立が、前記収集チャネル中の前記体液サンプルの前記サンプル容器中への移動をもたらし、５μＬ程度の体液サンプルが、前記収集チャネルに残存することをもたらす、請求項３７に記載の機器。
【請求項４３】
前記収集チャネル及び前記サンプル容器の間の流体的連通の確立が、前記収集チャネル中の前記体液サンプルの前記サンプル容器中への移動をもたらし、２μＬ程度の体液サンプルが、前記収集チャネルに残存することをもたらす、請求項３９に記載の機器。
【請求項４４】
システムであって：
１つの端を有するサンプル収集機器であって、前記１つの端は、体液サンプルを前記サンプル収集機器の少なくとも２個の収集チャネル中に、第一のタイプの原動力の手段により引き抜くことにより、前記サンプルを、少なくとも２つの部分に、分けるために、前記サンプルに接触するように構成される、サンプル収集機器と；
所望の量のサンプル流体が少なくとも１つの前記収集チャネル内にあることを確認した後に、前記サンプル収集チャネル及び前記サンプル容器の間に流体連通を確立する手段であって、前記容器は、体液サンプル部分のそれぞれを、それぞれの容器内に移動するために、前記第一の原動力とは異なる第二の原動力を提供する、手段と
を含む、システム。
【請求項４５】
システムであって:
第一のタイプの原動力を介して、流体サンプルを、それぞれの少なくとも２つのサンプル収集チャネル内に同時に抜き取るために構成された、少なくとも２つのサンプル収集チャネルを持つサンプル収集機器を用いて、サンプルの最小量を、少なくとも２つの前記チャネルに調量して入れる手段を含み；
所望の量のサンプル流体が少なくとも１つの前記収集チャネル内にあることを確認した後に、前記サンプル収集チャネル及び前記サンプル容器の間に流体連通を確立することを含み、前記容器は、体液サンプル部分のそれぞれを、それぞれの容器内に移動するために、収集するために用いられる、前記第一の原動力とは異なる第二の原動力を提供する、システム。
【請求項４６】
体液サンプルを収集するためのシステムであって、前記システムは：
（ａ）体液サンプルと接触するように構成される機器であって、前記機器は、収集チャネルを含み、前記収集チャネルは、第一の開口部及び第二の開口部を含み、前記体液サンプルが、及び前記第一の開口部から前記第二の開口部を経て前記収集チャネルを充填できるように前記第一の開口部から前記第二の開口部に向けて、毛細管作用により、体液サンプルを引き抜くために構成される、機器と；
（ｂ）前記収集チャネル及び前記サンプル容器内部の間の流体流路を確立する手段であって、前記サンプル容器は、前記収集チャネルの内部容積の１０倍程度の内部容積を有し、並びに前記収集チャネル及び前記サンプル容器内部の流体流路の確立が、前記収集チャネルの第二の開口部において陰圧を生成し、及び前記流体性サンプルが、前記収集チャネルから前記サンプル容器内部へ移動されるように、前記収集チャネル及び前記サンプル容器内部の間の流体流路の確立の前には、真空を有する、手段と
を含む、システム。
【請求項４７】
体液サンプルを収集するためのシステムであって、前記システムは：
（ａ）請求項１〜３７のいずれか１つに記載の機器であって、前記機器は、前記体液サンプルが、前記第一の開口部から、前記機器中の少なくとも１つの前記収集チャネルの前記第二の開口部を経て前記収集チャネルを充填することができるように体液サンプルと接触する、機器と；
（ｂ）前記収集チャネル及び前記サンプル容器内部の流体流路の確立が、前記収集チャネルの第二の開口部において陰圧を生成し、及び前記流体性サンプルが、前記収集チャネルから前記サンプル容器内部へ移動されるように、前記収集チャネル及び前記サンプル容器内部の間に流体流路を確立する手段と
を含む、システム。
【請求項４８】
前記体液が、前記収集チャネルの第二の開口部に達するまでは、前記収集チャネル及び前記サンプル容器内部が連通にもたらされない、請求項４６〜４７のいずれか１つに記載のシステム。
【請求項４９】
前記機器が２個の収集チャネルを含み、並びに前記体液が、前記両方の収集チャネルの第二の開口部に達するまでは、前記収集チャネル及び前記サンプル容器内部が連通にもたらされない、請求項４６〜４８のいずれか１つに記載のシステム。
【請求項５０】
前記機器中の収集チャネルの第二の開口部が、前記サンプル容器のキャップを貫通するために構成され、及び前記収集チャネルの第二の開口部及び前記サンプル容器の間の流体性流路は、前記収集チャネルの第二の開口部が前記サンプル容器のキャップを貫通するように、前記収集チャネルの第二の開口部及び前記サンプル容器の間の相対的な動きを提供することにより確立される、請求項４６〜４９のいずれか１つに記載のシステム。
【請求項５１】
前記機器が、前記機器中のそれぞれの収集チャネルのためのアダプター・チャネルを含み、前記アダプター・チャネルは、第一の開口部及び第二の開口部を含み、前記第一の開口部は前記収集チャネルの第二の開口部と接触するために構成され、並びに前記第二の開口部前記サンプル容器のキャップと接触するために構成され、並びに前記収集チャネル及び前記サンプル容器の間の流体性流路は、前記アダプター・チャネルの第二の開口部が前記サンプル容器のキャップを貫通できるように：（ａ）前記収集チャネルの第二の開口部、（ｂ）前記アダプター・チャネル、及び（ｃ）前記サンプル容器の２つ以上の間の相対的な動きを提供することにより確立される、請求項４６〜５０のいずれか１つに記載のシステム。
【請求項５２】
被験者から体液サンプルを収集するためのシステムであって、前記システムは:
（ａ）第一のチャネル及び第二のチャネルを含む機器であって、前記機器は、前記被験者からの体液と流体的連通されるように構成され、各チャネルは、前記体液との流体的連通のために構成された、流入開口部を有し、各チャネルは、各チャネルの入り口開口部の下流に流出開口部を有し、及び各チャネルは、前記流入開口部から前記流出開口部に向かって毛細管作用を介して、体液を引き抜くために構成される、機器と；
（ｂ）前記第一のチャネル及び前記第二のチャネルは、前記第一のチャネル及び前記第二のチャネルのそれぞれの前記流出開口部を介して、それぞれ第一の容器及び第二の容器と流体的連通されるように構成され；
（ｃ）前記第一のチャネル及び第二のチャネルのそれぞれの中の前記体液を、以下の（ｉ）又は（ｉｉ）の支援により、前記第一の容器及び第二の容器のそれぞれに向かわせる手段と
を含む、システム：
（ｉ）前記第一の容器又は前記第二の容器陰圧内の大気圧に対する陰圧であって、前記陰圧は、前記体液が前記第一のチャネル又は前記第二のチャネルを通過して対応する容器内に流れ込むのに十分である、又は
（ｉｉ）前記第一のチャネル又は前記第二のチャネル内の大気圧に対する陽圧であって、前記陽圧前記体液が前記第一のチャネル又は前記第二のチャネルを通過して対応する容器内に流れ込むのに十分である。
【請求項５３】
サンプル収集機器を製造する方法であって、前記方法は：
少なくとも２つのサンプル収集チャネルのそれぞれの中に、第一のタイプの原動力を介して流体サンプルを同時に引き抜くために構成された、少なくとも２つのチャネルを持つ、サンプル収集機器の１つの部分を形成することを含み；
サンプル容器を形成することを含み、前記チャネルから前記容器内に体液サンプルを移動するために前記サンプルを採集するために用いる、前記第一の原動力とは異なる第二の原動力を提供するために、前記容器は前記サンプル収集機器と連結するために構成される方法。
【請求項５４】
方法を遂行するための、コンピュータにより遂行される指示であって：
少なくとも２つのサンプル収集チャネルのそれぞれの中に、第一のタイプの原動力を介して流体サンプルを同時に引き抜くために構成された、少なくとも２つのチャネルを持つ、サンプル収集機器の１つの部分を形成することを含む指示。
【請求項５５】
方法を遂行するための、コンピュータにより遂行される指示であって：
サンプル容器を形成することを含み、前記チャネルから前記容器内に体液サンプルを移動するために前記サンプルを採集するために用いる、前記第一の原動力とは異なる第二の原動力を提供するために、前記容器は前記サンプル収集機器と連結するために構成される指示。
【請求項５６】
被験者から体液サンプルを収集するための機器であって、前記機器は：
：体液サンプルを、前記機器の前記被験者と接触する単一の端から前記機器内に抜き取る手段を含み、それにより流体サンプルを２つの個別のサンプルに分離し；流体サンプルを、複数のサンプル容器の中に移動する手段を含み、前記容器は、２つの個別のサンプルの大部分を、容器の中への経路から移動させる原動力を提供する機器。
【請求項５７】
サンプル収集機器を含む機器。
【請求項５８】
サンプルを被験者から収集するための機器。
【請求項５９】
毛細管血液サンプルを被験者から収集するための機器。
【請求項６０】
被験者上の非静脈創傷からサンプルを収集するための機器。
【請求項６１】
少なくともサンプルの所望のサンプル希釈及び少なくとも所望の数の等分を決定するためにプログラムされたプロセッサを含む方法。
【請求項６２】
以上の請求項のいずれかからの少なくとも１つの技術的な特徴を含む機器。
【請求項６３】
以上の請求項のいずれかからの少なくとも２つの技術的な特徴を含む機器。
【請求項６４】
以上の請求項のいずれかからの少なくとも１つの技術的な特徴を含むシステム。
【請求項６５】
以上の請求項のいずれかからの少なくとも２つの技術的な特徴を含むシステム。
【手続補正２】
【補正対象書類名】明細書
【補正対象項目名】００１５
【補正方法】変更
【補正の内容】
【００１５】
この要旨は、以下の発明の詳細な説明で更に記載される概念の単純化された形態における選択を紹介するために提供される。この要旨は、主張される主題の主要な特徴又は本質的な特性を特定することを意図しておらず、主張される主題の範囲を限定するために用いられることを意図していない。
本発明は、例えば、以下を提供する。
（項目１）
被験者の体液サンプルを収集するための機器であって、前記機器は：
複数のサンプル収集チャネルを含む第一の部分であって、前記チャネルの少なくとも２つは、前記チャネルの少なくとも２つに、同時に、第一の原動力を介してサンプルを引き抜くために構成され；
前記サンプル収集チャネルに収集された体液サンプルを受け取るための複数のサンプル容器を含む第二の部分であって、前記サンプル容器は、前記サンプル収集チャネルと流体連通にない第一の状態、及び前記サンプル容器が前記収集チャネルと流体連結にあるために、操作可能に係合可能な第二の状態を有し、第一の原動力とは異なる第二の原動力が前記チャネルから前記容器内に体液を移動させる機器。
（項目２）
被験者の体液サンプルを収集するための機器であって、前記機器は：
前記被験者と接触する前記機器の単一の端から、前記機器中に前記体液サンプルを引き抜くために構成された、少なくとも２つのサンプル収集経路を含み、それにより流体サンプルを２個の別個のサンプルに分け；
前記サンプル収集経路により収集された前記体液サンプルを受け取るための複数のサンプル容器を含む第二の部分を含み、前記サンプル容器は、前記サンプル収集経路と流体連通にあるために、操作可能に係合可能であり、前記容器に付随する第二の原動力が、前記２個の別個のサンプルの大部分を前記経路から前記容器内に移動用いられる方法。
（項目３）
体液サンプルを収集するための機器であって、前記機器は：
第一のタイプの原動力を介して、その中の流体サンプルを引き抜くために構成された、少なくとも２つのサンプル収集経路に通じる、少なくとも１つの流体収集場所を含む第一の部分；
前記サンプル収集経路から収集された体液サンプルを受け取るための複数のサンプル容器を含む第二の部分であって、前記サンプル収集経路との流体連通にあるために、操作可能に係合可能であり、前記第一の原動力とは異なる第二の原動力が、前記２個の個別のサンプルの大部分を前記経路から前記容器へ移動し；
少なくとも１つの前記サンプル収集経路は、いつ最小充填レベルに達したかを表示するための充填指示器を含み、及び少なくとも１つの前記サンプル容器は、少なくとも１つの前記サンプル収集経路と、流体連通にあるために係合し得る機器。
（項目４）
体液サンプルを収集するための機器であって、前記機器は：
第一のタイプの原動力を介して、その中に流体サンプルを引き抜くために構成された、少なくとも２つのサンプル収集経路を含む第一の部分を含み、
サンプル収集チャネルの１つは、前記流体サンプルと混合するために設計された内部コーティングを有し、及び別の前記サンプル収集チャネルは、前記内部コーティングとは、化学的に異なる別の内部コーティングを有し；
前記サンプル収集チャネルで収集された、体液サンプルを受け入れるための複数のサンプル容器を含む第二の部分を含み、前記サンプル容器は前記サンプル収集経路との流体連通にあるために、操作可能に係合可能であり、前記第一の原動力とは異なる第二の原動力が、前記２個の別個のサンプルの大部分を前記経路から前記容器へ移動させ；
前記容器は、前記容器の間での流体サンプルの混合が生じないように配列される機器。
（項目５）
サンプル収集機器であって、前記機器は以下を含む方法：
（ａ）第一の開口部及び第二の開口部を含み、及び前記第一の開口部から前記第二の開口部に向けて、毛細管作用により、体液サンプルを引き抜くために構成された収集チャネル；並びに
（ｂ）前記体液サンプルを受け取るためのサンプル容器を含み、前記容器は前記収集チャネルと係合可能可能であり、その中が真空の内部を有し、及びチャネルを受け取るために構成されたキャップを有し；
前記第二の開口部は、前記サンプル容器のキャップを貫通し、及び流体の流路を前記収集チャネル及び前記サンプル容器の間に提供するために構成された前記収集チャネルの一部分により画成され、並びに
前記サンプル容器は、前記収集チャネルの内部容積の１０倍未満の内部容積を有する機器。
（項目６）
サンプル収集機器であって、前記機器は：
（ａ）第一の開口部及び第二の開口部を含み、及び前記第一の開口部から前記第二の開口部に向けて、毛細管作用により、体液サンプルを引き抜くために構成された収集チャネルを含み；
（ｂ）前記体液サンプルを受け取るためのサンプル容器を含み、前記容器は前記収集チャネルと係合可能可能であり、その中が真空の内部を有し、及びチャネルを受け取るために構成されたキャップを有し；並びに
（ｃ）流体流路を前記収集チャネル及び前記サンプル容器の間に提供するために構成されたアダプター・チャネルを含み、第一の開口部及び第二の開口部を有し、前記第一の開口部は、前記収集チャネルの第二の開口部に接触するために構成され、前記第二の開口部は、前記サンプル容器のキャップを貫通するために構成される機器。
（項目７）
サンプル収集機器であって、前記機器は：
（ａ）収集チャネルを含む本体を含み、前記収集チャネルは、第一の開口部及び第二の開口部を含み、及び前記第一の開口部から前記第二の開口部に向けて、毛細管作用により、体液サンプルを引き抜くために構成され；
（ｂ）前記体液サンプルを受け取るためのサンプル容器を含む基部を含み、前記サンプル容器は前記収集チャネルと係合可能であり、その中が真空の内部を有し、及びチャネルを受け取るために構成されたキャップを有し；及び
（ｃ）支持物を含み、
前記サンプル収集機器が、伸長状態及び圧縮状態を持つために構成され、前記機器の伸長状態では圧縮状態におけるよりも、少なくとも前記基部の一部分が、前記本体により近くなることができるように、前記本体及び前記基部は、前記支持物の反対側の端に結合され、及び互いに対して移動可能に構成され、
前記収集チャネルの第二の開口部は、前記サンプル容器のキャップを貫通するために構成され、
前記機器の伸長状態では、前記収集チャネルの第二の開口部は、前記サンプル容器の内部と接触せず、並びに
前記機器の圧縮状態では、前記収集チャネルの第二の開口部は、前記容器のキャップを貫通して前記サンプル容器の内部に延伸し、それにより前記収集チャネル及び前記サンプル容器の間に流体的連通を提供する機器。
（項目８）
サンプル収集機器であって、前記機器は：
（ａ）収集チャネルを含む本体を含み、前記収集チャネルは、第一の開口部及び第二の開口部を含み、及び前記第一の開口部から前記第二の開口部に向けて、毛細管作用により、体液サンプルを引き抜くために構成され；
（ｂ）前記体液サンプルを受け取るためのサンプル容器を含む基部であって、前記サンプル容器は前記収集チャネルと係合可能であり、その中が真空の内部を有し、及びチャネルを受け取るために構成されたキャップを有し；
（ｃ）支持物を含み、並びに
（ｄ）第一の開口部及び第二の開口部を有するアダプター・チャネルを含み、前記第一の開口部は、前記収集チャネルの第二の開口部と接触するために構成され、及び前記第二の開口部前記サンプル容器のキャップを貫通するために構成され、
前記サンプル収集機器が、伸長状態及び圧縮状態を持つために構成され、前記機器の伸長状態では圧縮状態におけるよりも、少なくとも前記基部の一部分が、前記本体により近くなることができるように、前記本体及び前記基部は、前記支持物の反対側の端に結合され、及び互いに対して移動可能に構成され、前記機器の伸長状態では、前記アダプター・チャネルは、前記収集チャネル及び前記サンプル容器の内部の１つ又は両方と接触状態になく、及び前記機器の圧縮状態では、前記アダプター・チャネルの第一の開口部は、前記収集チャネルの第二の開口部と接触状態にあり、及び前記アダプター・チャネルの第二の開口部は、前記容器のキャップを貫通して、前記サンプル容器内部に伸長し、それにより前記収集チャネル及び前記サンプル容器の間に流体的連通を提供する機器
（項目９）
被験者からのサンプルを収集するための機器であって、前記機器は：
（ａ）収集チャネルを含む本体を含み、前記収集チャネルは、第一の開口部及び第二の開口部を含み、及び前記第一の開口部から前記第二の開口部に向けて、毛細管作用により、体液サンプルを引き抜くために構成され；
（ｂ）前記本体に係合する基部を含み、前記基部はサンプル容器を支持し、前記容器は前記収集チャネルと係合可能であり、その中が真空の内部を有し、及びチャネルを受け取るために構成されたキャップを有し；
前記収集チャネルの第二の開口部は、前記容器のキャップを貫通して、前記サンプル容器内部に伸長し、それにより前記収集チャネル及び前記サンプル容器の間に流体的連通を提供するために構成される機器。
（項目１０）
被験者からのサンプルを収集するための機器であって、前記機器は：
（ａ）収集チャネルを含む本体を含み、前記収集チャネルは、第一の開口部及び第二の開口部を含み、及び前記第一の開口部から前記第二の開口部に向けて、毛細管作用により、体液サンプルを引き抜くために構成され；
（ｂ）前記本体に係合する基部を含み、前記基部はサンプル容器を支持し、前記容器は前記収集チャネルと係合可能であり、その中が真空の内部を有し、及びチャネルを受け取るために構成されたキャップを有し；
（ｃ）第一の開口部及び第二の開口部を有するアダプター・チャネルを含み、前記第一の開口部は、前記収集チャネルの第二の開口部と接触するために構成され、及び前記第二の開口部は、前記サンプル容器のキャップを貫通するために構成される機器。
（項目１１）
前記本体が２個の収集チャネルを含む、上記項目のいずれか１つに記載の機器。
（項目１２）
前記収集チャネルの内部が抗凝血剤で被覆される、上記項目のいずれか１つに記載の機器。
（項目１３）
前記本体が第一の収集チャネル及び第二の収集チャネルを含み、及び前記第一の収集チャネルの内部が、前記第二の収集チャネルの内部とは異なる抗凝血剤で被覆される、項目１０に記載の機器。
（項目１４）
前記第一の抗凝血剤がエチレンジアミン四酢酸（ＥＤＴＡ）であり、及び前記第二の抗凝血剤が、ＥＤＴＡとは異なる、項目１１に記載の機器。
（項目１５）
前記第一の抗凝血剤がクエン酸塩であり、及び前記第二の抗凝血剤がクエン酸塩とは異なる、項目１１に記載の機器。
（項目１６）
前記第一の抗凝血剤がヘパリンであり、及び前記第二の抗凝血剤がヘパリンとは異なる、項目１１に記載の機器。
（項目１７）
前記本体が、光学的に透過性の物質で形成される、上記項目のいずれか１つに記載の機器。
（項目１８）
前記機器が、収集チャネルと同じ数のサンプル容器を含む、上記項目のいずれか１つに記載の機器。
（項目１９）
前記機器が、収集チャネルと同じ数のアダプター・チャネルを含む、項目４，６、又は８〜１４のいずれか１つに記載の機器。
（項目２０）
前記基部が、前記サンプルが前記基部中のサンプル容器に到達したかの可視的表示を提供する光学的測定器を含む、上記項目のいずれか１つに記載の機器。
（項目２１）
前記基部内の容器を見ることを可能にするために、前記基部が窓である、項目１６に記載の機器。
（項目２２）
前記支持物がスプリングを含み、及び前記機器が自然な状態にあるときに、前記伸長状態にあることができるようにスプリングが力を発揮する、項目５，６、又は９〜１７のいずれか１つに記載の機器。
（項目２３）
前記収集チャネルの第二の開口部、又は前記アダプター・チャネルが、スリーブにより蓋をされ、前記スリーブは、毛細管作用を介する、前記第一の開口部から、前記第二の開口部に向かう、体液の動きを防止しない、上記項目のいずれか１つに記載の機器。
（項目２４）
前記スリーブが、通気口を含む、項目１９に記載の機器。
（項目２５）
それぞれの収集チャネル５００μＬ程度の容積を含み得る、上記項目のいずれか１つに記載の機器。
（項目２６）
各収集チャネルが２００μＬ程度の容積を保持できる、上記項目のいずれか１つに記載の機器。
（項目２７）
各収集チャネルが１００μＬ程度の容積を保持できる、上記項目のいずれか１つに記載の機器。
（項目２８）
前記各収集チャネルの断面の内部の外周が１６ｍｍ程度である、上記項目のいずれか１つに記載の機器。
（項目２９）
前記各収集チャネルの断面の内部の外周が８ｍｍ程度である、上記項目のいずれか１つに記載の機器。
（項目３０）
前記各収集チャネルの断面の内部の外周が４ｍｍ程度である、上記項目のいずれか１つに記載の機器。
（項目３１）
前記内部の外周が円周である、上記項目のいずれか１つに記載の機器。
（項目３２）
前記機器が第一の及び第二の収集チャネルを含み、及び前記第一のチャネルの開口部が、前記第二のチャネルの開口部に隣接し、及び前記開口部は、単一の血液滴から、血液を同時に引き抜くために構成される、上記項目のいずれか１つに記載の機器。
（項目３３）
前記第一のチャネルの開口部及び前記第二のチャネルの開口部の中心から中心への間隔が約５ｍｍ以下である、項目２８に記載の機器。
（項目３４）
各サンプル容器が、それが係合可能である、前記収集チャネルの内部容積の２０倍程度の内部容積を有する、上記項目のいずれか１つに記載の機器。
（項目３５）
各サンプル容器が、それが係合可能である、前記収集チャネルの内部容積の１０倍程度の内部容積を有する、上記項目のいずれか１つに記載の機器。
（項目３６）
各サンプル容器が、それが係合可能である、前記収集チャネルの内部容積の５倍程度の内部容積を有する、上記項目のいずれか１つに記載の機器。
（項目３７）
各サンプル容器が、それが係合可能である、前記収集チャネルの内部容積の２倍程度の内部容積を有する、項目３２に記載の機器。
（項目３８）
前記収集チャネル及び前記サンプル容器の間の流体的連通の確立が、前記収集チャネル中の少なくとも９０％の前記体液サンプルを前記サンプル容器に移動することをもたらす、上記項目のいずれか１つに記載の機器。
（項目３９）
前記収集チャネル及び前記サンプル容器の間の流体的連通の確立が、前記収集チャネル中の少なくとも９５％の前記体液サンプルを前記サンプル容器に移動することをもたらす、項目３４に記載の機器。
（項目４０）
前記収集チャネル及び前記サンプル容器の間の流体的連通の確立が、前記収集チャネル中の少なくとも９８％の前記体液サンプルを前記サンプル容器に移動することをもたらす、項目３５に記載の機器。
（項目４１）
前記収集チャネル及び前記サンプル容器の間の流体的連通の確立が、前記収集チャネル中の前記体液サンプルの前記サンプル容器中への移動をもたらし、１０μＬ程度の体液サンプルが、前記収集チャネルに残存することをもたらす、上記項目のいずれか１つに記載の機器。
（項目４２）
前記収集チャネル及び前記サンプル容器の間の流体的連通の確立が、前記収集チャネル中の前記体液サンプルの前記サンプル容器中への移動をもたらし、５μＬ程度の体液サンプルが、前記収集チャネルに残存することをもたらす、項目３７に記載の機器。
（項目４３）
前記収集チャネル及び前記サンプル容器の間の流体的連通の確立が、前記収集チャネル中の前記体液サンプルの前記サンプル容器中への移動をもたらし、２μＬ程度の体液サンプルが、前記収集チャネルに残存することをもたらす、項目３９に記載の機器。
（項目４４）
方法であって：
前記サンプルを前記サンプル収集機器の少なくとも２個の収集チャネル中に、第一のタイプの原動力の手段により引き抜くことにより、前記サンプルを、少なくとも２つの部分に、分けるために、サンプル収集機器の１つの端を体液サンプルに接触することを含み；
所望の量のサンプル流体が少なくとも１つの前記収集チャネル内にあることを確認した後に、前記サンプル収集チャネル及び前記サンプル容器の間に流体連通を確立することを含み、前記容器は、体液サンプル部分のそれぞれを、それぞれの容器内に移動するために、前記第一の原動力とは異なる第二の原動力を提供する方法。
（項目４５）
方法であって:
第一のタイプの原動力を介して、流体サンプルを、それぞれの少なくとも２つのサンプル収集チャネル内に同時に抜き取るために構成された、少なくとも２つのサンプル収集チャネルを持つサンプル収集機器を用いて、サンプルの最小量を、少なくとも２つの前記チャネルに調量して入れることを含み；
所望の量のサンプル流体が少なくとも１つの前記収集チャネル内にあることを確認した後に、前記サンプル収集チャネル及び前記サンプル容器の間に流体連通を確立することを含み、前記容器は、体液サンプル部分のそれぞれを、それぞれの容器内に移動するために、収集するために用いられる、前記第一の原動力とは異なる第二の原動力を提供する方法。
（項目４６）
体液サンプルを収集するための方法であって、前記方法は：
（ａ）体液サンプルを収集チャネルを含む機器と接触させることを含み、前記収集チャネルは第一の開口部及び第二の開口部を含み、前記体液サンプルが、及び前記第一の開口部から前記第二の開口部を経て前記収集チャネルを充填できるように前記第一の開口部から前記第二の開口部に向けて、毛細管作用により、体液サンプルを引き抜くために構成され；
（ｂ）前記収集チャネル及び前記サンプル容器内部の間の流体流路を確立することを含み、前記サンプル容器は、前記収集チャネルの内部容積の１０倍程度の内部容積を有し、並びに前記収集チャネル及び前記サンプル容器内部の流体流路の確立が、前記収集チャネルの第二の開口部において陰圧を生成し、及び前記流体性サンプルが、前記収集チャネルから前記サンプル容器内部へ移動されるように、前記収集チャネル及び前記サンプル容器内部の間の流体流路の確立の前には、真空を有する方法。
（項目４７）
体液サンプルを収集するための方法であって、前記方法は：
（ａ）前記体液サンプルが、前記第一の開口部から、前記機器中の少なくとも１つの前記収集チャネルの前記第二の開口部を経て前記収集チャネルを充填することができるように体液サンプルを項目１〜３７のいずれか１つに記載の機器と接触させることを含み；
（ｂ）前記収集チャネル及び前記サンプル容器内部の流体流路の確立が、前記収集チャネルの第二の開口部において陰圧を生成し、及び前記流体性サンプルが、前記収集チャネルから前記サンプル容器内部へ移動されるように、前記収集チャネル及び前記サンプル容器内部の間に流体流路を確立することを含む方法。
（項目４８）
前記体液が、前記収集チャネルの第二の開口部に達するまでは、前記収集チャネル及び前記サンプル容器内部が連通にもたらされない、項目４０〜４２のいずれか１つに記載の方法。
（項目４９）
前記機器が２個の収集チャネルを含み、並びに前記体液が、前記両方の収集チャネルの第二の開口部に達するまでは、前記収集チャネル及び前記サンプル容器内部が連通にもたらされない、項目４０〜４３のいずれか１つに記載の方法。
（項目５０）
前記機器中の収集チャネルの第二の開口部が、前記サンプル容器のキャップを貫通するために構成され、及び前記収集チャネルの第二の開口部及び前記サンプル容器の間の流体性流路は、前記収集チャネルの第二の開口部が前記サンプル容器のキャップを貫通するように、前記収集チャネルの第二の開口部及び前記サンプル容器の間の相対的な動きを提供することにより確立される、項目４０〜４４のいずれか１つに記載の方法。
（項目５１）
前記機器が、前記機器中のそれぞれの収集チャネルのためのアダプター・チャネルを含み、前記アダプター・チャネルは、第一の開口部及び第二の開口部を含み、前記第一の開口部は前記収集チャネルの第二の開口部と接触するために構成され、並びに前記第二の開口部前記サンプル容器のキャップと接触するために構成され、並びに前記収集チャネル及び前記サンプル容器の間の流体性流路は、前記アダプター・チャネルの第二の開口部が前記サンプル容器のキャップを貫通できるように：（ａ）前記収集チャネルの第二の開口部、（ｂ）前記アダプター・チャネル、及び（ｃ）前記サンプル容器の２つ以上の間の相対的な動きを提供することにより確立される、項目４０〜４５のいずれか１つに記載の方法。
（項目５２）
被験者から体液サンプルを収集するための方法であって、前記方法は:
（ａ）第一のチャネル及び第二のチャネルを含む機器を、前記被験者からの体液との流体的連通にもたらすことを含み、各チャネルは、前記体液との流体的連通のために構成された、流入開口部を有し、各チャネルは、各チャネルの入り口開口部の下流に流出開口部を有し、及び各チャネルは、前記流入開口部から前記流出開口部に向かって毛細管作用を介して、体液を引き抜くために構成され；
（ｂ）前記第一のチャネル及び前記第二のチャネルのそれぞれの前記流出開口部を介して、前記第一のチャネル及び前記第二のチャネルを、それぞれ第一の容器及び第二の容器との流体的連通にもたらすことを含み；及び
（ｃ）前記第一のチャネル及び第二のチャネルのそれぞれの中の前記体液を、以下の（ｉ）又は（ｉｉ）の支援により、前記第一の容器及び第二の容器のそれぞれに向かわせることを含む方法：
（ｉ）前記第一の容器又は前記第二の容器陰圧内の大気圧に対する陰圧であって、前記陰圧は、前記体液が前記第一のチャネル又は前記第二のチャネルを通過して対応する容器内に流れ込むのに十分である、又は
（ｉｉ）前記第一のチャネル又は前記第二のチャネル内の大気圧に対する陽圧であって、前記陽圧前記体液が前記第一のチャネル又は前記第二のチャネルを通過して対応する容器内に流れ込むのに十分である。
（項目５３）
サンプル収集機器を製造する方法であって、前記方法は：
少なくとも２つのサンプル収集チャネルのそれぞれの中に、第一のタイプの原動力を介して流体サンプルを同時に引き抜くために構成された、少なくとも２つのチャネルを持つ、サンプル収集機器の１つの部分を形成することを含み；
サンプル容器を形成することを含み、前記チャネルから前記容器内に体液サンプルを移動するために前記サンプルを採集するために用いる、前記第一の原動力とは異なる第二の原動力を提供するために、前記容器は前記サンプル収集機器と連結するために構成される方法。
（項目５４）
方法を遂行するための、コンピュータにより遂行される指示であって：
少なくとも２つのサンプル収集チャネルのそれぞれの中に、第一のタイプの原動力を介して流体サンプルを同時に引き抜くために構成された、少なくとも２つのチャネルを持つ、サンプル収集機器の１つの部分を形成することを含む指示。
（項目５５）
方法を遂行するための、コンピュータにより遂行される指示であって：
サンプル容器を形成することを含み、前記チャネルから前記容器内に体液サンプルを移動するために前記サンプルを採集するために用いる、前記第一の原動力とは異なる第二の原動力を提供するために、前記容器は前記サンプル収集機器と連結するために構成される指示。
（項目５６）
被験者から体液サンプルを収集するための機器であって、前記機器は：
：体液サンプルを、前記機器の前記被験者と接触する単一の端から前記機器内に抜き取る手段を含み、それにより流体サンプルを２つの個別のサンプルに分離し；流体サンプルを、複数のサンプル容器の中に移動する手段を含み、前記容器は、２つの個別のサンプルの大部分を、容器の中への経路から移動させる原動力を提供する機器。
（項目５７）
サンプル収集機器を含む機器。
（項目５８）
サンプルを被験者から収集するための機器。
（項目５９）
毛細管血液サンプルを被験者から収集するための機器。
（項目６０）
被験者上の非静脈創傷からサンプルを収集するための機器。
（項目６１）
被験者からのサンプルを収集し、及び第一のサンプル容器中に、少なくとも１つの等分を拍出するための機器を用いる方法。
（項目６２）
被験者からのサンプルを収集し、及び第一のサンプル容器中に、少なくとも１つの等分を拍出し、並びに第二のサンプル容器に、少なくとも第二の等分を拍出するための機器を用いる方法。
（項目６３）
被験者からのサンプルを収集し、及び第一のサンプル容器中に、少なくとも１つの等分を拍出し、並びに第二のサンプル容器に、少なくとも第二の等分を拍出するための機器を用いる方法であって、サンプルは、前記被験者との単一の接触点から得られる方法。
（項目６４）
被験者からのサンプルを収集し、及び第一のサンプル容器中に、少なくとも１つの等分を拍出し、並びに第二のサンプル容器に、少なくとも第二の等分を拍出するための機器を用いる方法であって、前記サンプルは、単一の収集イベントから得られる方法。
（項目６５）
少なくともサンプルの所望のサンプル希釈及び少なくとも所望の数の等分を決定するためにプログラムされたプロセッサを含む方法。
（項目６６）
以上の項目のいずれかからの少なくとも１つの技術的な特徴を含む方法。
（項目６７）
以上の項目のいずれかからの少なくとも２つの技術的な特徴を含む方法。
（項目６８）
以上の項目のいずれかからの少なくとも１つの技術的な特徴を含む機器。
（項目６９）
以上の項目のいずれかからの少なくとも２つの技術的な特徴を含む機器。
（項目７０）
以上の項目のいずれかからの少なくとも１つの技術的な特徴を含むシステム。
（項目７１）
以上の項目のいずれかからの少なくとも２つの技術的な特徴を含むシステム。